(57)【要約】【課題】保安検査場のＸ線検査装置を通過する際に手荷物等が短冊状の鉛カーテンに接触して汚れることを完全に防ぐことができるＸ線検査用通い箱を提供する。【解決手段】本考案のＸ線検査用通い箱１は、上方が開放状態となった箱体の上部周囲には外方に張り出したフランジ部７〜１０が設けられ、４隅のフランジ部のうち、前方側の一方の隅のフランジ部に第１の凹部１１ａ、１１ｂが形成され、前方側のもう一方の隅のフランジ部に第１の凸部１２ａ、１２ｂが形成され、後方側の一方の隅のフランジ部に第２の凸部１３ａ、１３ｂが形成され、後方側のもう一方の隅のフランジ部に第２の凹部１４ａ、１４ｂが形成されている。２つの通い箱１の一方を上下逆にして重ね合わせたときには、一方の通い箱１の凹部と凸部が、もう一方の通い箱１の凸部と凹部にそれぞれ嵌合し、上側の通い箱１の前後左右の移動が規制される。【選択図】図１
0003210089.tif 000002
【実用新案登録請求の範囲】
【請求項１】
搭乗者の被検査物を箱内に積載した状態でＸ線検査装置のベルトコンベヤ上を搬送させ、Ｘ線検査を受けるために用いるＸ線検査用通い箱であって、
底壁部と、該底壁部から前後両端に立設する前壁部および後壁部と、底壁部から両端に立設する両側壁部とからなり、上方が開放状態となっており、前壁部、後壁部および両側壁部の上部周囲には外方に張り出したフランジ部がそれぞれ設けられた構造を有し、４隅のフランジ部のうち、前方側の一方の隅のフランジ部に第１の凹部が形成され、前方側のもう一方の隅のフランジ部に前記第１の凹部と相補形状をなす第１の凸部が形成され、後方側で前記前方側の一方の隅のフランジ部に対応する側の隅のフランジ部に第２の凸部が形成され、後方側で前記前方側のもう一方の隅のフランジ部に対応する側の隅のフランジ部に前記第２の凸部と相補形状をなす第２の凹部が形成され、２つの当該Ｘ線検査用通い箱の一方を上下逆にして重ね合わせたときには、一方のＸ線検査用通い箱の第１の凹部、第１の凸部、第２の凸部および第２の凹部と、もう一方のＸ線検査用通い箱の第２の凸部、第２の凹部、第１の凹部および第１の凸部、もしくは第１の凸部、第１の凹部、第２の凹部および第２の凸部がそれぞれ嵌合するように構成され、
被検査物がＸ線検査装置の鉛カーテンに接触して汚れるおそれがないときには、単独で使用可能であり、
被検査物がＸ線検査装置の鉛カーテンに接触して汚れるおそれがあるときには、２つの当該Ｘ線検査用通い箱を用い、その一方を上下逆にして重ね合わせ、少なくとも搬送される前方側の凹部と凸部が係合することにより、上側のＸ線検査用通い箱の前後左右の移動が規制されることを特徴とするＸ線検査用通い箱。
【考案の詳細な説明】
【技術分野】
【０００１】
本考案は、航空機搭乗者（以下、搭乗者とも称する）の手荷物や上着等の被検査物をＸ線検査するために、被検査物を箱内に積載した状態でベルトコンベヤ上を搬送させ、Ｘ線検査を受けるために用いるＸ線検査用通い箱に関するものである。
【背景技術】
【０００２】
空港には航空機の安全運航のため、搭乗前に、搭乗者自身の検査と、機内持ち込み手荷物等を検査する保安検査場が設けられている。保安検査場には、手荷物等を検査するためＸ線検査装置が設置されている。このＸ線検査装置は、トレーに手荷物等を載せて、ベルトコンベヤ上を搬送させ、Ｘ線を利用し、通過した手荷物等の透過画像を表示させて保安検査を行っている。
【０００３】
Ｘ線検査に利用するＸ線は放射線の一種であり、人体に悪影響を及ぼすため、Ｘ線検査装置にはＸ線を遮ることができる鉛を含んだ短冊状の鉛カーテンが設置されており、手荷物等を載せたトレーはこの鉛カーテンを通過することになる。
【０００４】
上記Ｘ線検査は、手荷物等に危険物や機内に持ち込むことができないものが含まれていないか調べるために行われる。また、搭乗者は金属探知機を通って搭乗者自身の検査を受けるが、例えばチャックがある上着では金属探知機が反応してしまう場合があり、その場合、上着をトレーに入れてから検査を受けることになる。
【０００５】
Ｘ線検査装置を通過する際、鉛カーテンとの接触により手荷物等が汚れることが問題となっている。そのため、手荷物等が鉛カーテンと接触して汚れるおそれがある場合には、手荷物等を載せたトレーの上に別のトレーを裏返してかぶせ、手荷物等が汚れることを防ぐことが行われていた。そして裏返してかぶせるトレーには既製品のトレーが使用されていた。
【０００６】
しかしながら、上記のように既製品のトレーを裏返してかぶせることにより鉛カーテンとの接触による汚れを防止しようとする場合、単に手荷物等を載せた既製品のトレーの上に別の既製品のトレーを裏返してかぶせるだけであるため、鉛のカーテンと接触して上のトレーがずれて隙間ができ、その隙間から手荷物等が鉛カーテンに接触し、手荷物等が汚れる場合があった。そこで、簡易な作業により、確実に鉛のカーテンとの接触による手荷物等の汚れを防止することが望まれていた。
【考案の概要】
【考案が解決しようとする課題】
【０００７】
本考案は、以上のような従来技術の問題点を解消し、保安検査場のＸ線検査装置を通過する際に手荷物等が短冊状の鉛カーテンに接触して汚れることを簡便にかつ確実に防ぐことができるＸ線検査用通い箱を提供することを課題とする。
【課題を解決するための手段】
【０００８】
上記課題を解決するため、本考案によれば、搭乗者の被検査物を箱内に積載した状態でＸ線検査装置のベルトコンベヤ上を搬送させ、Ｘ線検査を受けるために用いるＸ線検査用通い箱であって、底壁部と、該底壁部から前後両端に立設する前壁部および後壁部と、底壁部から両端に立設する両側壁部とからなり、上方が開放状態となっており、前壁部、後壁部および両側壁部の上部周囲には外方に張り出したフランジ部がそれぞれ設けられた構造を有し、４隅のフランジ部のうち、前方側の一方の隅のフランジ部に第１の凹部が形成され、前方側のもう一方の隅のフランジ部に前記第１の凹部と相補形状をなす第１の凸部が形成され、後方側で前記前方側の一方の隅のフランジ部に対応する側の隅のフランジ部に第２の凸部が形成され、後方側で前記前方側のもう一方の隅のフランジ部に対応する側の隅のフランジ部に前記第２の凸部と相補形状をなす第２の凹部が形成され、２つの当該Ｘ線検査用通い箱の一方を上下逆にして重ね合わせたときには、一方のＸ線検査用通い箱の第１の凹部、第１の凸部、第２の凸部および第２の凹部と、もう一方のＸ線検査用通い箱の第２の凸部、第２の凹部、第１の凹部および第１の凸部、もしくは第１の凸部、第１の凹部、第２の凹部および第２の凸部がそれぞれ嵌合するように構成され、被検査物がＸ線検査装置の鉛カーテンに接触して汚れるおそれがないときには、単独で使用可能であり、被検査物がＸ線検査装置の鉛カーテンに接触して汚れるおそれがあるときには、２つの当該Ｘ線検査用通い箱を用い、その一方を上下逆にして重ね合わせ、少なくとも搬送される前方側の凹部と凸部が係合することにより、上側のＸ線検査用通い箱の前後左右の移動が規制されることを特徴とするＸ線検査用通い箱が提供される。
【０００９】
本考案のＸ線検査用通い箱は、単独で使用することができ、手荷物等が鉛カーテンに接触して汚れるおそれがある場合には、２つのＸ線検査用通い箱を用い、手荷物等を載せた一方のＸ線検査用通い箱の上にもう一方のＸ線検査用通い箱を裏返してかぶせて使用することができる。
【考案の効果】
【００１０】
本考案によれば、保安検査場で手荷物等のＸ線検査を行う際に、上記構成を採用したので、そのままでは手荷物等が鉛カーテンに接触するような場合でも、２つのＸ線検査用通い箱を用い、手荷物等を載せた一方のＸ線検査用通い箱の上にもう一方のＸ線検査用通い箱を裏返してかぶせることにより、一方のＸ線検査用通い箱の第１の凹部、第１の凸部、第２の凸部および第２の凹部と、もう一方のＸ線検査用通い箱の第２の凸部、第２の凹部、第１の凹部および第１の凸部、もしくは第１の凸部、第１の凹部、第２の凹部および第２の凸部がそれぞれ嵌合し、上側のＸ線検査用通い箱の前後左右の移動が規制されるため、手荷物等が汚れることを確実に防止することが可能となる。
【図面の簡単な説明】
【００１１】
【図１】本考案の一実施形態のＸ線検査用通い箱を示す斜視図である。
【図２】本考案の一実施形態のＸ線検査用通い箱を示す平面図である。
【図３】上記Ｘ線検査用通い箱の４隅のフランジ部のうちの１つに形成された凸部の例を示す斜視図である。
【図４】上記Ｘ線検査用通い箱の４隅のフランジ部のうちの１つに形成された凹部の例を示す斜視図である。
【図５】２つのＸ線検査用通い箱の一方を裏返してかぶせて重ね合わせた状態を示す斜視図である。
【考案を実施するための形態】
【００１２】
以下、本考案を実施形態に基づき詳細に説明する。
【００１３】
図１は本考案の一実施形態に係るＸ線検査用通い箱（以下、通い箱とも称する）を示す斜視図、図２は同平面図、図３はＸ線検査用通い箱の４隅のフランジ部のうちの１つに形成された凸部の例を示す斜視図、図４は、Ｘ線検査用通い箱の４隅のフランジ部のうちの１つに形成された凹部の例を示す斜視図である。
【００１４】
本実施形態の通い箱１は、搭乗者の手荷物等を空港の保安検査場のＸ線検査機でＸ線検査するために、手荷物等を箱内に積載した状態でベルトコンベヤ上を搬送するために使用される。
【００１５】
通い箱１は、略長方形状の底壁部２と、その前方および後方に立設した前壁部３および後壁部４と、両側に立設した両側壁部５、６からなり、合成樹脂等の材料で一体成形して作られており、上方は開放状態となっている。前壁部３、後壁部４および両側壁部５、６の上部周囲には、外方に張り出したフランジ部７、８、９、１０が設けられている。
【００１６】
本実施形態の通い箱１の寸法を例示すると、外寸が６４０×４７０×９５ｍｍ、上部内寸が６００×４３０×９０ｍｍ、下部内寸が５７０×４００×９０ｍｍとなっている。もちろん、これらの寸法は、必要に応じて適宜変更が可能である。
【００１７】
本実施形態の通い箱１は、４隅のフランジ部のうち、前方側の一方の隅のフランジ部（前方側）には、第１の凹部１１ａ、１１ｂが形成され、前方側のもう一方の隅のフランジ部には、第１の凹部１１ａ、１１ｂと相補形状をなす第１の凸部１２ａ、１２ｂが形成され、後方側で前記前方側の一方の隅のフランジ部に対応する側の隅のフランジ部には、第２の凸部１３ａ、１３ｂが形成され、後方側で前記前方側のもう一方の隅のフランジ部に対応する側の隅のフランジ部には、第２の凸部１３ａ、１３ｂと相補形状をなす第２の凹部１４ａ、１４ｂが形成されている。第１の凹部１１ａ、１１ｂは第２の凸部１３ａ、１３ｂとも相補形状をなし、第１の凸部１２ａ、１２ｂは第２の凹部１４ａ、１４ｂとも相補形状をなしている。そして、２つの通い箱の一方を上下逆にして重ね合わせたときには、一方の通い箱１の第１の凹部１１ａ、１１ｂ、第１の凸部１２ａ、１２ｂ、第２の凸部１３ａ、１３ｂおよび第２の凹部１４ａ、１４ｂと、もう一方の通い箱１の第２の凸部１３ａ、１３ｂ、第２の凹部１４ａ、１４ｂ、第１の凹部１１ａ、１１ｂおよび第１の凸部１２ａ、１２ｂがそれぞれ嵌合する。これは、もう一方の通い箱１を前後逆にして裏返した場合である。もう一方の通い箱１を左右逆にして裏返した場合には、一方の通い箱１の第１の凹部１１ａ、１１ｂ、第１の凸部１２ａ、１２ｂ、第２の凸部１３ａ、１３ｂおよび第２の凹部１４ａ、１４ｂと、もう一方の通い箱１の第１の凸部１２ａ、１２ｂ、第１の凹部１１ａ、１１ｂ、第２の凹部１４ａ、１４ｂ、第２の凸部１３ａ、１３ｂがそれぞれ嵌合する。これにより、上側の通い箱１と下側の通い箱１の相補形状の凹部と凸部がそれぞれ嵌合することにより、長辺側の凹凸嵌合部で左右の移動が、短辺側の凹凸嵌合部で前後の動きが規制されることになる。
【００１８】
通い箱１の第１の凸部１２ａ、１２ｂと第２の凸部１３ａ、１３ｂはそれぞれ上面がなだらかな湾曲形状となっている。また第１の凹部１１ａ、１１ｂと第２の凹部１４ａ、１４ｂもそれら湾曲形状にならった湾曲形状の凹形状となっている。
このような湾曲形状にすると、重ね合わせた時の嵌合がスムーズに行われる。
【００１９】
本実施形態の通い箱１は、手荷物等を仕分けしやすいように、リブ１５、段差１６が形成されている。例えば段差１６の後ろ側には時計や小銭、鍵等を置くことが便利となっている。リブ１５の前側には、例えば、ノートパソコンやタブレット等を置くことができるのに便利となっている。
【００２０】
本実施形態の通い箱１を２つ用い、一方の通い箱１に、もう一方の通い箱１を上下逆にして重ね合わせた状態を図５に斜視図で示す。
【００２１】
次に、本実施形態の通い箱１の使用方法について述べる。
本実施形態の通い箱１は、手荷物等がＸ線検査装置の鉛カーテンに接触して汚れるおそれがないときには単独で使用することができ、鉛カーテンに接触して汚れるおそれがあるときには２つの通い箱１を用い、一方の通い箱１に手荷物等を載せ、もう一方の通い箱１を上下逆にして重ね合わせる。このとき、下側の通い箱１の凸部と凹部が上側の通い箱１の対応する凹部と凸部にぴったり嵌合し、上側の通い箱１の前後方向および左右方向の移動が規制されるため、通い箱１同士がずれることがなくなり、鉛カーテンに手荷物等が接触して汚れることが確実に防止できるようになる。また、手荷物等がかさばって、かぶせた上側の通い箱１が多少浮いたとしても、上下の通い箱１の前方の凸部と凹部がそれぞれ嵌合するため、上側の通い箱のずれが防止される。
【００２２】
以上、本考案を一実施形態について説明してきたが、本考案のＸ線検査用通い箱は種々の変形、変更を行うことが可能である。
例えば、本実施形態では、フランジの４隅の対角線方向にそれぞれ２個の凹部と凸部を設けたが、これに限定されず、各隅に設ける凹部と凸部の数は適宜設定することができる。
【符号の説明】
【００２３】
１    Ｘ線検査用通い箱
２    底壁部
３    前壁部
４    後壁部
５、６    側壁部
７、８、９、１０    フランジ部
１１ａ、１１ｂ    第１の凹部
１２ａ、１２ｂ    第１の凸部
１３ａ、１３ｂ    第２の凸部
１４ａ、１４ｂ    第２の凹部
１５    リブ
１６    段差
【図１】
0003210089.tif 000003
【図２】
0003210089.tif 000004
【図３】
0003210089.tif 000005
【図４】
0003210089.tif 000006
【図５】
0003210089.tif 000007